(57)【要約】【課題】小切手管理業務における小切手支払業務の効率化、ならびに、小切手を交付する金融機関、小切手の支払人および受取人の利便性向上を図ることができる小切手管理システム、小切手管理装置、小切手管理方法、および、小切手管理プログラムを提供することを課題とする。【解決手段】端末装置の撮影部にて撮影された小切手用紙に基づいて、小切手の受取人の受取人識別データと支払金額とを含む当該小切手用紙の読取データを取得し、読取データに対応する小切手支払予定データがあるか否かを判定し、読取データに対応する小切手支払予定データがあると判定された場合、受取人識別データと登録者識別データとが一致するか否かを判定し、受取人識別データと登録者識別データとが一致すると判定された場合、登録データに基づいて、登録者の銀行口座への小切手の支払依頼をエレクトロニックバンキングシステムに送信する。【選択図】図３
2019200531.tif 000002
【特許請求の範囲】
【請求項１】
エレクトロニックバンキングシステム、撮影部を備えた端末装置、および、記憶部と制御部とを備えた小切手管理装置を通信可能に接続した小切手管理システムであって、
前記記憶部は、
小切手の受取予定者の受取予定者識別データと支払予定金額とを含む小切手支払予定データを記憶する小切手支払予定記憶手段と、
前記端末装置での小切手受取の登録者の登録者識別データと銀行口座データとを含む登録データを記憶する登録記憶手段と、
を備え、
前記制御部は、
前記端末装置の前記撮影部にて撮影された小切手用紙に基づいて、前記小切手の受取人の受取人識別データと支払金額とを含む当該小切手用紙の読取データを取得する読取データ取得手段と、
前記読取データに対応する前記小切手支払予定データがあるか否かを判定する支払予定判定手段と、
前記支払予定判定手段により前記読取データに対応する前記小切手支払予定データがあると判定された場合、前記受取人識別データと前記登録者識別データとが一致するか否かを判定する受取人判定手段と、
前記受取人判定手段により前記受取人識別データと前記登録者識別データとが一致すると判定された場合、前記登録データに基づいて、前記登録者の銀行口座への前記小切手の支払依頼を前記エレクトロニックバンキングシステムに送信する支払依頼手段と、
を備えたことを特徴とする小切手管理システム。
【請求項２】
前記小切手支払予定記憶手段は、
更に、確認コードを記憶し、
前記制御部は、
前記受取人判定手段により前記受取人識別データと前記登録者識別データとが一致すると判定された場合、前記確認コードを入力させる承認画面を前記端末装置に表示させるように制御する承認画面表示制御手段と、
前記端末装置のユーザにより前記承認画面に入力された入力コードと前記確認コードとが一致するか否かを判定するコード判定手段と、
を更に備え、
前記支払依頼手段は、
前記コード判定手段により前記入力コードと前記確認コードとが一致すると判定された場合、前記登録データに基づいて、前記登録者の銀行口座への前記小切手の支払依頼を前記エレクトロニックバンキングシステムに送信することを特徴とする請求項１に記載の小切手管理システム。
【請求項３】
前記読取データ取得手段は、
前記端末装置の前記撮影部にて撮影された前記小切手用紙上のバーコードまたは二次元コードに基づいて、前記小切手の前記受取人の前記受取人識別データと前記支払金額とを含む前記小切手用紙の読取データを取得することを特徴とする請求項１または２に記載の小切手管理システム。
【請求項４】
前記小切手支払予定記憶手段は、
更に、確認コードを記憶し、
前記制御部は、
前記確認コードを入力させる確認画面を前記端末装置に表示させるように制御する確認画面表示制御手段と、
前記端末装置のユーザにより前記確認画面に入力された入力コードと前記確認コードとが一致するか否かを判定するコード判定手段と、
を更に備え、
前記支払予定判定手段は、
前記コード判定手段により前記入力コードと前記確認コードとが一致すると判定された場合、前記読取データに対応する前記小切手支払予定データがあるか否かを判定することを特徴とする請求項１に記載の小切手管理システム。
【請求項５】
前記制御部は、
前記受取人に対応する前記受取予定者に前記確認コードを送信する確認コード送信手段、
を更に備えたことを特徴とする請求項２または４に記載の小切手管理システム。
【請求項６】
前記記憶部は、
小切手支払済データを記憶する小切手支払済記憶手段、
を更に備え、
前記支払依頼手段により前記小切手の支払依頼が前記エレクトロニックバンキングシステムに送信された場合、前記読取データに対応する前記小切手支払予定データを前記小切手支払予定記憶手段から削除し、当該小切手支払予定データを前記小切手支払済データとして前記小切手支払済記憶手段に格納する小切手支払データ更新手段、
を更に備えたことを特徴とする請求項１から５のいずれか一つに記載の小切手管理システム。
【請求項７】
前記制御部は、
新規の登録データを設定させる設定画面を前記端末装置に表示させるように制御する設定画面表示制御手段と、
前記端末装置のユーザにより前記設定画面に前記新規の登録データが入力された場合、当該ユーザを登録者とする当該登録データを前記登録記憶手段に格納する登録設定手段と、
を更に備えたことを特徴とする請求項１に記載の小切手管理システム。
【請求項８】
前記制御部は、
前記読取データ取得手段により前記読取データが取得された場合、前記小切手の受取申込指示を入力させる申込画面を前記端末装置に表示させるように制御する申込画面表示制御手段、
を更に備え、
前記支払予定判定手段は、
前記端末装置のユーザにより前記申込画面に前記受取申込指示が入力された場合、前記読取データに対応する前記小切手支払予定データがあるか否かを判定することを特徴とする請求項１に記載の小切手管理システム。
【請求項９】
前記制御部は、
前記支払予定判定手段により前記読取データに対応する前記小切手支払予定データがないと判定された場合、前記小切手の支払済を通知する支払済通知画面を前記端末装置に表示させるように制御する支払済通知画面表示制御手段、
を更に備えたことを特徴とする請求項１から７のいずれか一つに記載の小切手管理システム。
【請求項１０】
前記制御部は、
前記受取人判定手段により前記受取人識別データと前記登録者識別データとが一致しないと判定された場合、前記小切手の受取不可を通知する不可通知画面を前記端末装置に表示させるように制御する不可通知画面表示制御手段、
を更に備えたことを特徴とする請求項１から７のいずれか一つに記載の小切手管理システム。
【請求項１１】
前記制御部は、
前記コード判定手段により前記入力コードと前記確認コードとが一致しないと判定された場合、前記小切手の受取不可を通知する不可通知画面を前記端末装置に表示させるように制御する不可通知画面表示制御手段、
を更に備えたことを特徴とする請求項２に記載の小切手管理システム。
【請求項１２】
エレクトロニックバンキングシステム、および、撮影部を備えた端末装置に通信可能に接続された、記憶部と制御部とを備えた小切手管理装置であって、
前記記憶部は、
小切手の受取予定者の受取予定者識別データと支払予定金額とを含む小切手支払予定データを記憶する小切手支払予定記憶手段と、
前記端末装置での小切手受取の登録者の登録者識別データと銀行口座データとを含む登録データを記憶する登録記憶手段と、
を備え、
前記制御部は、
前記端末装置の前記撮影部にて撮影された小切手用紙に基づいて、前記小切手の受取人の受取人識別データと支払金額とを含む当該小切手用紙の読取データを取得する読取データ取得手段と、
前記読取データに対応する前記小切手支払予定データがあるか否かを判定する支払予定判定手段と、
前記支払予定判定手段により前記読取データに対応する前記小切手支払予定データがあると判定された場合、前記受取人識別データと前記登録者識別データとが一致するか否かを判定する受取人判定手段と、
前記受取人判定手段により前記受取人識別データと前記登録者識別データとが一致すると判定された場合、前記登録データに基づいて、前記登録者の銀行口座への前記小切手の支払依頼を前記エレクトロニックバンキングシステムに送信する支払依頼手段と、
を備えたことを特徴とする小切手管理装置。
【請求項１３】
エレクトロニックバンキングシステム、撮影部を備えた端末装置、および、記憶部と制御部とを備えた小切手管理装置を通信可能に接続した小切手管理システムに実行させるための小切手管理方法であって、
前記記憶部は、
小切手の受取予定者の受取予定者識別データと支払予定金額とを含む小切手支払予定データを記憶する小切手支払予定記憶手段と、
前記端末装置での小切手受取の登録者の登録者識別データと銀行口座データとを含む登録データを記憶する登録記憶手段と、
を備え、
前記制御部で実行させる、
前記端末装置の前記撮影部にて撮影された小切手用紙に基づいて、前記小切手の受取人の受取人識別データと支払金額とを含む当該小切手用紙の読取データを取得する読取データ取得ステップと、
前記読取データに対応する前記小切手支払予定データがあるか否かを判定する支払予定判定ステップと、
前記支払予定判定ステップにて前記読取データに対応する前記小切手支払予定データがあると判定された場合、前記受取人識別データと前記登録者識別データとが一致するか否かを判定する受取人判定ステップと、
前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、
を含むことを特徴とする小切手管理方法。
【請求項１４】
エレクトロニックバンキングシステム、および、撮影部を備えた端末装置に通信可能に接続された、記憶部と制御部とを備えた小切手管理装置に実行させるための小切手管理方法であって、
前記記憶部は、
小切手の受取予定者の受取予定者識別データと支払予定金額とを含む小切手支払予定データを記憶する小切手支払予定記憶手段と、
前記端末装置での小切手受取の登録者の登録者識別データと銀行口座データとを含む登録データを記憶する登録記憶手段と、
を備え、
前記制御部で実行させる、
前記端末装置の前記撮影部にて撮影された小切手用紙に基づいて、前記小切手の受取人の受取人識別データと支払金額とを含む当該小切手用紙の読取データを取得する読取データ取得ステップと、
前記読取データに対応する前記小切手支払予定データがあるか否かを判定する支払予定判定ステップと、
前記支払予定判定ステップにて前記読取データに対応する前記小切手支払予定データがあると判定された場合、前記受取人識別データと前記登録者識別データとが一致するか否かを判定する受取人判定ステップと、
前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、
を含むことを特徴とする小切手管理方法。
【請求項１５】
エレクトロニックバンキングシステム、および、撮影部を備えた端末装置に通信可能に接続された、記憶部と制御部とを備えた小切手管理装置に実行させるための小切手管理プログラムであって、
前記記憶部は、
小切手の受取予定者の受取予定者識別データと支払予定金額とを含む小切手支払予定データを記憶する小切手支払予定記憶手段と、
前記端末装置での小切手受取の登録者の登録者識別データと銀行口座データとを含む登録データを記憶する登録記憶手段と、
を備え、
前記制御部において、
前記端末装置の前記撮影部にて撮影された小切手用紙に基づいて、前記小切手の受取人の受取人識別データと支払金額とを含む当該小切手用紙の読取データを取得する読取データ取得ステップと、
前記読取データに対応する前記小切手支払予定データがあるか否かを判定する支払予定判定ステップと、
前記支払予定判定ステップにて前記読取データに対応する前記小切手支払予定データがあると判定された場合、前記受取人識別データと前記登録者識別データとが一致するか否かを判定する受取人判定ステップと、
前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、
を実行させるための小切手管理プログラム。
【発明の詳細な説明】
【技術分野】
【０００１】
本発明は、小切手管理システム、小切手管理装置、小切手管理方法、および、小切手管理プログラムに関する。
【背景技術】
【０００２】
従来、小切手管理業務において、小切手の受取人に対しては、小切手用紙を送付して金融機関に来店してもらうことで現金支払を行っていた。
【発明の概要】
【発明が解決しようとする課題】
【０００３】
しかしながら、従来の小切手管理業務において、受取人により小切手が持ち込まれた金融機関が手形交換所に小切手を持ち込み、当該小切手を交付した金融機関に提示する必要があり、受取人が小切手を現金化するまで手間と時間とを必要としていたという課題があった。
【０００４】
本発明は、上記問題点に鑑みてなされたものであって、小切手管理業務における小切手支払業務の効率化、ならびに、小切手を交付する金融機関、小切手の支払人および受取人の利便性向上を図ることができる小切手管理システム、小切手管理装置、小切手管理方法、および、小切手管理プログラムを提供することを目的とする。
【課題を解決するための手段】
【０００５】
上述した課題を解決し、目的を達成するために、本発明に係る小切手管理システムは、エレクトロニックバンキングシステム、撮影部を備えた端末装置、および、記憶部と制御部とを備えた小切手管理装置を通信可能に接続した小切手管理システムであって、前記記憶部は、小切手の受取予定者の受取予定者識別データと支払予定金額とを含む小切手支払予定データを記憶する小切手支払予定記憶手段と、前記端末装置での小切手受取の登録者の登録者識別データと銀行口座データとを含む登録データを記憶する登録記憶手段と、を備え、前記制御部は、前記端末装置の前記撮影部にて撮影された小切手用紙に基づいて、前記小切手の受取人の受取人識別データと支払金額とを含む当該小切手用紙の読取データを取得する読取データ取得手段と、前記読取データに対応する前記小切手支払予定データがあるか否かを判定する支払予定判定手段と、前記支払予定判定手段により前記読取データに対応する前記小切手支払予定データがあると判定された場合、前記受取人識別データと前記登録者識別データとが一致するか否かを判定する受取人判定手段と、前記受取人判定手段により前記受取人識別データと前記登録者識別データとが一致すると判定された場合、前記登録データに基づいて、前記登録者の銀行口座への前記小切手の支払依頼を前記エレクトロニックバンキングシステムに送信する支払依頼手段と、を備えたことを特徴とする。
【０００６】
また、本発明に係る小切手管理システムにおいて、前記小切手支払予定記憶手段は、更に、確認コードを記憶し、前記制御部は、前記受取人判定手段により前記受取人識別データと前記登録者識別データとが一致すると判定された場合、前記確認コードを入力させる承認画面を前記端末装置に表示させるように制御する承認画面表示制御手段と、前記端末装置のユーザにより前記承認画面に入力された入力コードと前記確認コードとが一致するか否かを判定するコード判定手段と、を更に備え、前記支払依頼手段は、前記コード判定手段により前記入力コードと前記確認コードとが一致すると判定された場合、前記登録データに基づいて、前記登録者の銀行口座への前記小切手の支払依頼を前記エレクトロニックバンキングシステムに送信することを特徴とする。
【０００７】
また、本発明に係る小切手管理システムにおいて、前記読取データ取得手段は、前記端末装置の前記撮影部にて撮影された前記小切手用紙上のバーコードまたは二次元コードに基づいて、前記小切手の前記受取人の前記受取人識別データと前記支払金額とを含む前記小切手用紙の読取データを取得することを特徴とする。
【０００８】
また、本発明に係る小切手管理システムにおいて、前記小切手支払予定記憶手段は、更に、確認コードを記憶し、前記制御部は、前記確認コードを入力させる確認画面を前記端末装置に表示させるように制御する確認画面表示制御手段と、前記端末装置のユーザにより前記確認画面に入力された入力コードと前記確認コードとが一致するか否かを判定するコード判定手段と、を更に備え、前記支払予定判定手段は、前記コード判定手段により前記入力コードと前記確認コードとが一致すると判定された場合、前記読取データに対応する前記小切手支払予定データがあるか否かを判定することを特徴とする。
【０００９】
また、本発明に係る小切手管理システムにおいて、前記制御部は、前記受取人に対応する前記受取予定者に前記確認コードを送信する確認コード送信手段、を更に備えたことを特徴とする。
【００１０】
また、本発明に係る小切手管理システムにおいて、前記記憶部は、小切手支払済データを記憶する小切手支払済記憶手段、を更に備え、前記支払依頼手段により前記小切手の支払依頼が前記エレクトロニックバンキングシステムに送信された場合、前記読取データに対応する前記小切手支払予定データを前記小切手支払予定記憶手段から削除し、当該小切手支払予定データを前記小切手支払済データとして前記小切手支払済記憶手段に格納する小切手支払データ更新手段、を更に備えたことを特徴とする。
【００１１】
また、本発明に係る小切手管理システムにおいて、前記制御部は、新規の登録データを設定させる設定画面を前記端末装置に表示させるように制御する設定画面表示制御手段と、前記端末装置のユーザにより前記設定画面に前記新規の登録データが入力された場合、当該ユーザを登録者とする当該登録データを前記登録記憶手段に格納する登録設定手段と、を更に備えたことを特徴とする。
【００１２】
また、本発明に係る小切手管理システムにおいて、前記制御部は、前記読取データ取得手段により前記読取データが取得された場合、前記小切手の受取申込指示を入力させる申込画面を前記端末装置に表示させるように制御する申込画面表示制御手段、を更に備え、前記支払予定判定手段は、前記端末装置のユーザにより前記申込画面に前記受取申込指示が入力された場合、前記読取データに対応する前記小切手支払予定データがあるか否かを判定することを特徴とする。
【００１３】
また、本発明に係る小切手管理システムにおいて、前記制御部は、前記支払予定判定手段により前記読取データに対応する前記小切手支払予定データがないと判定された場合、前記小切手の支払済を通知する支払済通知画面を前記端末装置に表示させるように制御する支払済通知画面表示制御手段、を更に備えたことを特徴とする。
【００１４】
また、本発明に係る小切手管理システムにおいて、前記制御部は、前記受取人判定手段により前記受取人識別データと前記登録者識別データとが一致しないと判定された場合、前記小切手の受取不可を通知する不可通知画面を前記端末装置に表示させるように制御する不可通知画面表示制御手段、を更に備えたことを特徴とする。
【００１５】
また、本発明に係る小切手管理システムにおいて、前記制御部は、前記コード判定手段により前記入力コードと前記確認コードとが一致しないと判定された場合、前記小切手の受取不可を通知する不可通知画面を前記端末装置に表示させるように制御する不可通知画面表示制御手段、を更に備えたことを特徴とする。
【００１６】
また、本発明に係る小切手管理装置において、エレクトロニックバンキングシステム、および、撮影部を備えた端末装置に通信可能に接続された、記憶部と制御部とを備えた小切手管理装置であって、前記記憶部は、小切手の受取予定者の受取予定者識別データと支払予定金額とを含む小切手支払予定データを記憶する小切手支払予定記憶手段と、前記端末装置での小切手受取の登録者の登録者識別データと銀行口座データとを含む登録データを記憶する登録記憶手段と、を備え、前記制御部は、前記端末装置の前記撮影部にて撮影された小切手用紙に基づいて、前記小切手の受取人の受取人識別データと支払金額とを含む当該小切手用紙の読取データを取得する読取データ取得手段と、前記読取データに対応する前記小切手支払予定データがあるか否かを判定する支払予定判定手段と、前記支払予定判定手段により前記読取データに対応する前記小切手支払予定データがあると判定された場合、前記受取人識別データと前記登録者識別データとが一致するか否かを判定する受取人判定手段と、前記受取人判定手段により前記受取人識別データと前記登録者識別データとが一致すると判定された場合、前記登録データに基づいて、前記登録者の銀行口座への前記小切手の支払依頼を前記エレクトロニックバンキングシステムに送信する支払依頼手段と、を備えたことを特徴とする。
【００１７】
また、本発明に係る小切手管理方法は、エレクトロニックバンキングシステム、撮影部を備えた端末装置、および、記憶部と制御部とを備えた小切手管理装置を通信可能に接続した小切手管理システムに実行させるための小切手管理方法であって、前記記憶部は、小切手の受取予定者の受取予定者識別データと支払予定金額とを含む小切手支払予定データを記憶する小切手支払予定記憶手段と、前記端末装置での小切手受取の登録者の登録者識別データと銀行口座データとを含む登録データを記憶する登録記憶手段と、を備え、前記制御部で実行させる、前記端末装置の前記撮影部にて撮影された小切手用紙に基づいて、前記小切手の受取人の受取人識別データと支払金額とを含む当該小切手用紙の読取データを取得する読取データ取得ステップと、前記読取データに対応する前記小切手支払予定データがあるか否かを判定する支払予定判定ステップと、前記支払予定判定ステップにて前記読取データに対応する前記小切手支払予定データがあると判定された場合、前記受取人識別データと前記登録者識別データとが一致するか否かを判定する受取人判定ステップと、前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、を含むことを特徴とする。
【００１８】
また、本発明に係る小切手管理方法は、エレクトロニックバンキングシステム、および、撮影部を備えた端末装置に通信可能に接続された、記憶部と制御部とを備えた小切手管理装置に実行させるための小切手管理方法であって、前記記憶部は、小切手の受取予定者の受取予定者識別データと支払予定金額とを含む小切手支払予定データを記憶する小切手支払予定記憶手段と、前記端末装置での小切手受取の登録者の登録者識別データと銀行口座データとを含む登録データを記憶する登録記憶手段と、を備え、前記制御部で実行させる、前記端末装置の前記撮影部にて撮影された小切手用紙に基づいて、前記小切手の受取人の受取人識別データと支払金額とを含む当該小切手用紙の読取データを取得する読取データ取得ステップと、前記読取データに対応する前記小切手支払予定データがあるか否かを判定する支払予定判定ステップと、前記支払予定判定ステップにて前記読取データに対応する前記小切手支払予定データがあると判定された場合、前記受取人識別データと前記登録者識別データとが一致するか否かを判定する受取人判定ステップと、前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、を含むことを特徴とする。
【００１９】
また、本発明に係る小切手管理プログラムは、エレクトロニックバンキングシステム、および、撮影部を備えた端末装置に通信可能に接続された、記憶部と制御部とを備えた小切手管理装置に実行させるための小切手管理プログラムであって、前記記憶部は、小切手の受取予定者の受取予定者識別データと支払予定金額とを含む小切手支払予定データを記憶する小切手支払予定記憶手段と、前記端末装置での小切手受取の登録者の登録者識別データと銀行口座データとを含む登録データを記憶する登録記憶手段と、を備え、前記制御部において、前記端末装置の前記撮影部にて撮影された小切手用紙に基づいて、前記小切手の受取人の受取人識別データと支払金額とを含む当該小切手用紙の読取データを取得する読取データ取得ステップと、前記読取データに対応する前記小切手支払予定データがあるか否かを判定する支払予定判定ステップと、前記支払予定判定ステップにて前記読取データに対応する前記小切手支払予定データがあると判定された場合、前記受取人識別データと前記登録者識別データとが一致するか否かを判定する受取人判定ステップと、前記受取人判定ステップにて前記受取人識別データと前記登録者識別データとが一致すると判定された場合、前記登録データに基づいて、前記登録者の銀行口座への前記小切手の支払依頼を前記エレクトロニックバンキングシステムに送信する支払依頼ステップと、を実行させることを特徴とする。
【発明の効果】
【００２０】
本発明によれば、小切手の受取人は、受け取った小切手に対して、小切手の二次元コードをスキャンし、自分のスマートフォンに登録した受取口座に小切手金額の取立が出来るという効果を奏する。また、本発明によれば、小切手の受取人は、受け取った小切手に対して、譲渡できるという効果を奏する。すなわち、本発明によれば、小切手の受取人は、小切手支払予定データに受取人登録をした後、譲渡登録をすることが出来るという効果を奏する。また、本発明によれば、小切手の受取人は、受け取った小切手に対して、二次元コードをスキャンして支払済みか否かの確認が出来るという効果を奏する。
【００２１】
また、本発明によれば、小切手の受取人は、全ての金融機関が発行した小切手に対して、二次元コードをスキャンして、小切手明細を確認し、支払済みか否かの確認が出来るという効果を奏する。また、本発明によれば、小切手の受取人は、全ての金融機関が発行した小切手に対して、小切手支払予定データの検索が出来るという効果を奏する。また、本発明によれば、小切手の受取人は、全ての金融機関が発行した小切手に対して、小切手支払済データの検索ができるという効果を奏する。また、本発明によれば、小切手の受取人は、全ての金融機関が発行した小切手に対して、小切手毎または小切手発行企業毎の検索ができるという効果を奏する。また、本発明によれば、小切手の受取人は、全ての金融機関が発行した小切手に対して、金融機関ごとの対応状況を検索できるという効果を奏する。また、本発明によれば、小切手の受取人は、全ての金融機関が発行した小切手に対して、個別明細の確認、対応状況の確認、または、集計等の対応が出来るという効果を奏する。
【００２２】
また、本発明によれば、小切手発行者である支払人は、自社が発行した小切手に対して、発行した小切手の現状を把握できるという効果を奏する。また、本発明によれば、小切手発行者である支払人は、自社が発行した小切手に対して、二次元コードをスキャンして、小切手明細の確認、支払済みか否かの確認が出来るという効果を奏する。また、本発明によれば、小切手発行者である支払人は、自社が発行した小切手に対して、発行済み未払いの集計、月次支払集計、等の対応が出来るという効果を奏する。
【００２３】
また、本発明によれば、支払人である銀行等の金融機関は、交付した小切手に対して、二次元コードをスキャンして、小切手明細の確認、および、支払済みか否かの確認が出来るという効果を奏する。また、本発明によれば、支払人である銀行等の金融機関は、交付した小切手に対して、小切手支払予定データの検索が出来るという効果を奏する。また、本発明によれば、支払人である銀行等の金融機関は、交付した小切手に対して、小切手支払済データの検索ができるという効果を奏する。また、本発明によれば、支払人である銀行等の金融機関は、交付した小切手に対して、小切手毎または小切手発行企業毎の検索ができるという効果を奏する。また、本発明によれば、支払人である銀行等の金融機関は、交付した小切手に対して、対応状況の確認、一時停止、修正、および、変更等の対応が出来るという効果を奏する。
【図面の簡単な説明】
【００２４】
【図１】図１は、従来の小切手支払処理の一例を示す図である。
【図２】図２は、本実施形態における小切手支払処理の一例を示す図である。
【図３】図３は、本実施形態における小切手管理システムの構成の一例を示すブロック図である。
【図４】図４は、本実施形態における小切手管理システムの処理の一例を示すフローチャートである。
【図５】図５は、本実施形態における小切手支払処理の一例を示すフロー図である。
【図６】図６は、本実施形態における小切手支払処理の一例を示すフロー図である。
【発明を実施するための形態】
【００２５】
本発明の実施形態を図面に基づいて詳細に説明する。なお、本発明は本実施形態により限定されるものではない。
【００２６】
［１．概要］
まず、図１および図２を参照して、本発明の概要を説明する。図１は、従来の小切手支払処理の一例を示す図である。図２は、本実施形態における小切手支払処理の一例を示す図である。
【００２７】
図１に示すように、従来、小切手発行者であるＡ株式会社が、小切手支払者であるＸ銀行ＸＸ支店から交付を受けた小切手用紙を利用して小切手を作成し（ステップＳＡ−１）、小切手受取者であるＢに小切手で支払実施した場合（ステップＳＡ−２）、Ｂは、Ｙ銀行の自分の口座に対して小切手の入金依頼をしていた（ステップＳＡ−３）。そして、図１に示すように、Ｙ銀行が、小切手を交換所に持込み（ステップＳＡ−４）、Ｘ銀行に提示し（ステップＳＡ−５）、受取金額の資金を交換尻で受け取った場合（ステップＳＡ−６）、Ｙ銀行は、Ｂの口座に、翌日から数日後に小切手の額面金額から取立手数料を控除した金額を入金していた（ステップＳＡ−７）。
【００２８】
そこで、図２に示すように、本実施形態において、小切手発行者であるＡ株式会社は、小切手支払者であるＸ銀行ＸＸ支店から交付を受け、小切手番号等を特定する二次元コードを券面に付与した小切手用紙を利用して小切手を作成し（ステップＳＢ−１）、小切手受取者であるＢに小切手で支払実施すると同時に（ステップＳＢ−２）、発行する小切手明細（例えば、小切手Ｎｏ、振出日付、支払人識別データ、支払金額、受取人識別データ、確認番号および／または確認番号を受取るための受取人Ｅメールアドレス等）を小切手管理システムに登録している（ステップＳＢ−３）。そして、図２に示すように、Ａ株式会社は、Ｂに小切手で支払実施するための確認コードを知らせる（ステップＳＢ−４）。そして、図２に示すように、Ｂが小切手の二次元コードをスマホ（スマートフォン）でスキャンし、受取登録を実施した場合（ステップＳＢ−５）、小切手管理システムは、登録データの一致を確認後、小切手の支払予定データと受取人の受取口座データとから口座振替データ、送金指示データおよび取立手数料データを作成し、支払予定データ（口座振替データ）および送金指示データ（振込指示データ）をＸ銀行に送付している（ステップＳＢ−６）。そして、図２に示すように、Ｘ銀行は、Ａ株式会社の口座から口座振替および送金を実施することで、当日または翌営業日には、小切手の額面金額から取立手数料を控除した金額をＢの口座に入金し（ステップＳＢ−７）、且つ、小切手管理システムに実施完了登録をしている（ステップＳＢ−８）。ここで、本実施形態における受取登録実施では、スキャンデータから、小切手Ｎｏ、振出日付、支払人識別データおよび／または支払金額等、スマホ登録入力データから受取人識別データおよび確認番号を組合せたデータが作成され、小切手管理システムの登録データとの一致を確認してもよい。
【００２９】
［２．小切手管理システムの構成］
本実施形態に係る金融機関システム（エレクトロニックバンキングシステム）６００、端末装置１００、および、サーバ（小切手管理装置）２００を通信可能に接続した小切手管理システムの構成の一例について、図３を参照して説明する。図３は、本実施形態における小切手管理システムの構成の一例を示すブロック図である。
【００３０】
［端末装置１００の構成］
図３において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。
【００３１】
端末装置１００は、制御部１０２と記憶部１０６と撮影部１１０と入出力部１１２とを備えており、端末装置１００が備えている各部は、任意の通信路を介して通信可能に接続されている。
【００３２】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、および、マイク等であってもよい。また、入出力部１１２は、アプリケーション等の（入出力）情報を表示する表示部（例えば、液晶または有機ＥＬ等から構成されるディスプレイ、モニタ、および、タッチパネル等）であってもよい。また、入出力部１１２は、音声情報を音声として出力する音声出力部（例えば、スピーカ等）であってもよい。
【００３３】
撮影部１１０は、ＣＣＤイメージセンサまたはＣＭＯＳイメージセンサ等の撮像素子で撮影した画像（静止画および動画）をデジタルデータとして記録するカメラ等であってもよい。
【００３４】
端末装置１００は、他の装置とネットワーク３００を介して通信可能に接続し、他の装置とデータを通信する機能を有する。ここで、ネットワーク３００は、端末装置１００、サーバ２００および金融機関システム６００を相互に通信可能に接続する機能を有し、例えば、インターネットおよび／またはＬＡＮ（Ｌｏｃａｌ  Ａｒｅａ  Ｎｅｔｗｏｒｋ）等である。
【００３５】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、撮影部１１０にて記録された画像データ、ネットワーク３００を介して受信されたデータ、および／または、入出力部１１２を介して入力された入力データ等を記憶していてもよい。
【００３６】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、撮影部１１０にて記録された画像データの取得および画像データに含まれる文字データ（ＵＲＬ等）のデータ読取、ネットワーク３００を介したデータ送受信、入出力部１１２を介して入力された入力データの取得、ならびに、出力部１１４でのデータ（画面）表示等の各処理を実行してもよい。
【００３７】
［サーバ２００の構成］
図３において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、端末装置１００または金融機関システム６００と相互に通信可能に接続されている。
【００３８】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、小切手支払予定データベース２０６ａと、小切手支払済データベース２０６ｂと、登録データベース２０６ｃとを備えている。
【００３９】
小切手支払予定データベース２０６ａは、小切手の受取予定者の受取予定者識別データと支払予定金額とを含む小切手支払予定データを記憶する。ここで、小切手支払予定データは、支払人名および／または受取予定金額等を含んでいてもよい。また、小切手支払予定データベース２０６ａは、確認コードを記憶していてもよい。また、受取予定者識別データは、受取予定者名、受取予定者住所、受取予定者電話番号および／または受取予定者Ｅメールアドレス等を含んでいてもよい。
【００４０】
小切手支払済データベース２０６ｂは、小切手支払済データを記憶する。ここで、小切手支払済データは、支払済小切手に関する小切手支払予定データであってもよい。
【００４１】
登録データベース（小切手受取アプリ登録データベース）２０６ｃは、端末装置１００での小切手受取の登録者の登録者識別データと銀行口座データとを含む登録データを記憶する。ここで、登録者識別データは、登録者名義（氏名）、登録者住所、登録者電話番号、登録者端末識別データ（ＭＡＣアドレス等）および／または登録者Ｅメールアドレス等を含んでいてもよい。
【００４２】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、読取データ取得部２０２ａと、設定画面表示制御部２０２ｂと、登録設定部２０２ｃと、申込画面表示制御部２０２ｄと、確認コード送信部２０２ｅと、確認画面表示制御部２０２ｆと、支払予定判定部２０２ｇと、受取人判定部２０２ｈと、承認画面表示制御部２０２ｉと、コード判定部２０２ｊと、支払済通知画面表示制御部２０２ｋと、不可通知画面表示制御部２０２ｍと、支払依頼部２０２ｎと、小切手支払データ更新部２０２ｐとを備えている。
【００４３】
読取データ取得部２０２ａは、端末装置１００の撮影部１１０にて撮影された小切手用紙に基づいて、小切手の受取人の受取人識別データと支払金額とを含む小切手用紙の読取データを取得する。ここで、読取データ取得部２０２ａは、端末装置１００の撮影部１１０にて撮影された小切手用紙上のバーコードまたは二次元コード（ＱＲコード（登録商標）等）の各種コードに基づいて、小切手の受取人の受取人識別データと支払金額とを含む小切手用紙の読取データを取得してもよい。また、受取人識別データは、支払人名、支払金額、受取人名、受取人住所、受取人電話番号、受取人Ｅメールアドレス、小切手番号および／または受取金額等を含んでいてもよい。また、読取データ取得部２０２ａは、電子小切手に含まれる小切手の受取人の受取人識別データと支払金額とを含む小切手明細データに基づいて、読取データを取得してもよい。例えば、読取データ取得部２０２ａは、端末装置１００の撮影部１１０にて撮影された、モニタ等に表示された電子小切手の表示データ（例えば、ＱＲコード等）に基づいて、小切手の受取人の受取人識別データと支払金額とを含む読取データを取得してもよい。また、読取データ取得部２０２ａは、小切手の支払人から受取人へ送信された電子小切手に含まれる小切手の受取人の受取人識別データと支払金額とを含む小切手明細データに基づいて、読取データを取得してもよい。このように、本実施形態においては、コード読取について通信機能の対応によるが、紙の小切手だけでなく、電子小切手も同様に対応可能である。
【００４４】
設定画面表示制御部２０２ｂは、新規の登録データを設定させる設定画面を端末装置１００に表示させるように制御する。
【００４５】
登録設定部２０２ｃは、端末装置１００のユーザにより設定画面に新規の登録データが入力された場合、当該ユーザを登録者とする当該登録データを登録データベース２０６ｃに格納する。
【００４６】
申込画面表示制御部２０２ｄは、読取データ取得部２０２ａにより読取データが取得された場合、小切手の受取申込指示を入力させる申込画面を端末装置１００に表示させるように制御する。
【００４７】
確認コード送信部２０２ｅは、受取人に対応する受取予定者に確認コードを送信する。ここで、確認コード送信部２０２ｅは、読取データに含まれる受取人識別データに対応する受取予定者の、小切手支払予定データベース２０６ａに記憶された受取予定者Ｅメールアドレスまたは受取予定者電話番号（ＳＭＳ）に確認コードを送信してもよい。また、確認コード送信部２０２ｅは、確認コードを送信前に都度生成してもよい。確認コード送信部２０２ｅは、送信した確認コードを小切手支払予定データベース２０６ａに格納してもよい。
【００４８】
確認画面表示制御部２０２ｆは、確認コードを入力させる確認画面を端末装置１００に表示させるように制御する。
【００４９】
支払予定判定部２０２ｇは、読取データに対応する小切手支払予定データがあるか否かを判定する。ここで、支払予定判定部２０２ｇは、コード判定部２０２ｊにより入力コードと確認コードとが一致すると判定された場合、読取データに対応する小切手支払予定データベース２０６ａに記憶された小切手支払予定データがあるか否かを判定してもよい。また、支払予定判定部２０２ｇは、端末装置１００のユーザにより申込画面に受取申込指示が入力された場合、読取データに対応する小切手支払予定データベース２０６ａに記憶された小切手支払予定データがあるか否かを判定してもよい。
【００５０】
受取人判定部２０２ｈは、受取人識別データと登録者識別データとが一致するか否かを判定する。ここで、受取人判定部２０２ｈは、支払予定判定部２０２ｇにより読取データに対応する小切手支払予定データがあると判定された場合、受取人識別データと登録者識別データとが一致するか否かを判定する。
【００５１】
承認画面表示制御部２０２ｉは、受取人判定部２０２ｈにより受取人識別データと登録者識別データとが一致すると判定された場合、確認コードを入力させる承認画面を端末装置１００に表示させる。
【００５２】
コード判定部２０２ｊは、端末装置１００のユーザにより承認画面に入力された入力コードと確認コードとが一致するか否かを判定する。ここで、コード判定部２０２ｊは、端末装置１００のユーザにより確認画面に入力された入力コードと確認コードとが一致するか否かを判定してもよい。
【００５３】
支払済通知画面表示制御部２０２ｋは、支払予定判定部２０２ｇにより読取データに対応する小切手支払予定データがないと判定された場合、小切手の支払済を通知する支払済通知画面を端末装置１００に表示させるように制御する。
【００５４】
不可通知画面表示制御部２０２ｍは、小切手の受取不可を通知する不可通知画面を端末装置１００に表示させるように制御する。ここで、不可通知画面表示制御部２０２ｍは、受取人判定部２０２ｈにより受取人識別データと登録者識別データとが一致しないと判定された場合、小切手の受取不可を通知する不可通知画面を端末装置１００に表示させるように制御してもよい。また、不可通知画面表示制御部２０２ｍは、コード判定部２０２ｊにより入力コードと確認コードとが一致しないと判定された場合、小切手の受取不可を通知する不可通知画面を端末装置１００に表示させるように制御してもよい。
【００５５】
支払依頼部２０２ｎは、受取人判定部２０２ｈにより受取人識別データと登録者識別データとが一致すると判定された場合、登録データに基づいて、登録者の銀行口座への小切手の支払依頼を金融機関システム６００に送信する。ここで、支払依頼部２０２ｎは、コード判定部２０２ｊにより入力コードと確認コードとが一致すると判定された場合、登録データに基づいて、登録者の銀行口座への小切手の支払依頼を金融機関システム６００に送信してもよい。
【００５６】
小切手支払データ更新部２０２ｐは、支払依頼部２０２ｎにより小切手の支払依頼が金融機関システム６００に送信された場合、読取データに対応する小切手支払予定データを小切手支払予定データベース２０６ａから削除し、当該小切手支払予定データを小切手支払済データとして小切手支払済データベース２０６ｂに格納する。
【００５７】
［３．小切手管理システムの処理］
本実施形態に係る小切手管理システムの処理の一例について、図４から図６を参照して説明する。図４は、本実施形態における小切手管理システムの処理の一例を示すフローチャートである。
【００５８】
図４に示すように、ユーザが端末装置（スマートフォン）１００の撮影部１１０を使って、小切手用紙のＱＲコード（登録商標）をスキャンした場合、スマートフォン１００の制御部１０２は、スキャンしたＱＲコード（登録商標）から読み出した小切手の受取人の受取人識別データと支払金額とを含む当該小切手用紙の読取データをサーバ２００に送信することで、サーバ２００の読取データ取得部２０２ａは、当該読取データを取得する（ステップＳＣ−１）。
【００５９】
そして、サーバ２００の申込画面表示制御部２０２ｄは、小切手の受取申込指示、または、小切手受取アプリ設定指示を入力させる申込画面（メニュー画面）をスマートフォン１００の入出力部１１２に表示させるように制御する（ステップＳＣ−２）。
【００６０】
そして、サーバ２００の申込画面表示制御部２０２ｄは、小切手受取アプリ登録済のユーザによりスマートフォン１００の入出力部１１２を介して小切手の受取申込指示が入力されたか否かを判定する（ステップＳＣ−３）。なお、本実施形態においては、例えば、アクセス元のＭＡＣアドレスが登録者端末識別データに一致するか否かに基づいて、小切手受取アプリ登録済のユーザによる小切手の受取申込指示か否かを自動判定してもよい。
【００６１】
そして、サーバ２００の申込画面表示制御部２０２ｄは、小切手受取アプリ登録済のユーザにより小切手の受取申込指示が入力されず、小切手受取アプリ未登録のユーザにより小切手受取アプリ設定指示（小切手受取アプリのインストール指示）が入力されたと判定した場合（ステップＳＣ−３：Ｎｏ）、処理をステップＳＣ−４に移行させる。
【００６２】
そして、サーバ２００の設定画面表示制御部２０２ｂは、新規の登録データ（小切手受取アプリ登録データ）を設定させる設定画面をスマートフォン１００の入出力部１１２に表示させるように制御し、ユーザによりスマートフォン１００の入出力部１１２を介して小切手受取アプリ登録が実施されたか否かを判定する（ステップＳＣ−４）。
【００６３】
そして、サーバ２００の設定画面表示制御部２０２ｂは、小切手受取アプリ登録が実施されたと判定した場合（ステップＳＣ−４：Ｙｅｓ）、スマートフォン１００にて小切手受取アプリのインストールが完了するように制御し、処理をステップＳＣ−５に移行させる。
【００６４】
そして、サーバ２００の登録設定部２０２ｃは、スマートフォン１００にて実施された小切手受取アプリ登録のユーザを登録者とする登録データを小切手受取アプリ登録データベース２０６ｃに格納し（ステップＳＣ−５）、処理をステップＳＣ−２に移行させる。
【００６５】
一方、サーバ２００の設定画面表示制御部２０２ｂは、小切手受取アプリ登録が実施されず、取り止められたと判定した場合（ステップＳＣ−４：Ｎｏ）、処理をステップＳＣ−６に移行させる。
【００６６】
そして、サーバ２００の不可通知画面表示制御部２０２ｍは、小切手の受取不可を通知する不可通知画面をスマートフォン１００の入出力部１１２に表示させるように制御し（ステップＳＣ−６）、処理を終了する。
【００６７】
一方、サーバ２００の申込画面表示制御部２０２ｄは、小切手受取アプリ登録済のユーザにより小切手の受取申込指示が入力されたと判定した場合（ステップＳＣ−３：Ｙｅｓ）、スマートフォン１００にて小切手受取アプリを起動させ、処理をステップＳＣ−７に移行させる。
【００６８】
そして、サーバ２００の受取人判定部２０２ｈは、小切手受取人の受取人識別データと小切手受取アプリ登録データベース２０６ｃに記憶された小切手受取アプリ設定口座名義人の登録者識別データとが一致するか否かを判定する（ステップＳＣ−７）。
【００６９】
そして、サーバ２００の受取人判定部２０２ｈは、小切手受取人の受取人識別データと小切手受取アプリ登録データベース２０６ｃに記憶された小切手受取アプリ設定口座名義人の登録者識別データとが一致しないと判定した場合（ステップＳＣ−７：Ｎｏ）、処理をステップＳＣ−６に移行させる。
【００７０】
一方、サーバ２００の受取人判定部２０２ｈは、小切手受取人の受取人識別データと小切手受取アプリ登録データベース２０６ｃに記憶された小切手受取アプリ設定口座名義人の登録者識別データとが一致すると判定した場合（ステップＳＣ−７：Ｙｅｓ）、処理をステップＳＣ−８に移行させる。
【００７１】
そして、サーバ２００の承認画面表示制御部２０２ｉは、小切手受取アプリでの受取認証として確認コード（暗証番号）を入力させる承認画面をスマートフォン１００の入出力部１１２に表示させ、サーバ２００のコード判定部２０２ｊは、スマートフォン１００のユーザにより承認画面に入力された入力コードと確認コードとが一致するか否かを判定する（ステップＳＣ−８）。このように、本実施形態においては、スマホ画面に表示される受取金額と入金口座をユーザに確認させ、受取承認のための暗証番号入力をさせている。
【００７２】
そして、サーバ２００のコード判定部２０２ｊは、承認画面に入力された入力コードと確認コードとが一致しないと判定した場合（ステップＳＣ−８：Ｎｏ）、処理をステップＳＣ−６に移行させる。
【００７３】
一方、サーバ２００のコード判定部２０２ｊは、承認画面に入力された入力コードと確認コードとが一致すると判定した場合（ステップＳＣ−８：Ｙｅｓ）、処理をステップＳＣ−９に移行させる。
【００７４】
そして、サーバ２００の支払依頼部２０２ｎは、登録者の小切手受取アプリ設定口座への小切手の支払依頼を金融機関システム６００に送信し、金融機関システム６００は、小切手受取アプリ設定口座に小切手の額面金額から手数料を控除した金額の振込を実行し（ステップＳＣ−９）、処理を終了する。
【００７５】
ここで、図５から図６を参照して、本実施形態における小切手支払処理の具体例について説明する。図５から図６は、本実施形態における小切手支払処理の一例を示すフロー図である。
【００７６】
［小切手支払処理（その１）］
図５に示すように、本実施形態においては、ユーザがスマートフォン１００を使って、小切手用紙のＱＲコード（登録商標）をスキャンした場合、スキャンデータに対応する小切手支払予定データがあるか否かを判定し、小切手の支払済を通知する支払済通知画面（小切手受取メニュー画面）、または、小切手の受取申込指示を入力させる申込画面（小切手受取メニュー画面）をスマートフォン１００に表示させる（ステップＳＤ−１）。
【００７７】
そして、本実施形態においては、ユーザにより支払済通知画面の終了指示（「完了」）が選択された場合（ステップＳＤ−２）、処理を終了する。
【００７８】
また、本実施形態においては、ユーザにより申込画面の非受取指示（「いいえ」）が選択された場合（ステップＳＤ−３）、処理を終了する。
【００７９】
一方、本実施形態においては、ユーザにより申込画面の受取指示（「はい」）が選択された場合、小切手用紙記載の小切手の受取人に対応する受取予定者の受取予定者Ｅメールアドレスまたは受取予定者電話番号等に確認コードを送信し、確認コードを入力させる確認画面をスマートフォン１００に表示させる（ステップＳＤ−４）。なお、本実施形態においては、受取人指定小切手を小切手管理システムに登録する場合、受取人のＥメールアドレス等を登録し、受取人確認コードをユーザが受信可能としてもよい。また、本実施形態において、持参人払いの小切手は、登録時に確認コードを設定し、小切手譲渡時に確認コードを通知してもよい。
【００８０】
そして、本実施形態においては、ユーザにより確認画面に確認コードが入力され、実行ボタンが選択された場合（ステップＳＤ−５）、支払人（会社）名、受取金額、手数料金額および受取人名を含む小切手支払内容、ならびに、受取可否を選択するボタンを表示した支払内容画面をスマートフォン１００に表示させることで、ユーザに小切手受取明細確認を行わせる（ステップＳＤ−６）。
【００８１】
そして、本実施形態においては、ユーザにより支払内容画面の受取指示（「受取る」）が選択された場合、小切手受取アプリでの受取認証として確認コードを入力させる承認画面をスマートフォン１００に表示させ（ステップＳＤ−７）、ユーザにより承認画面に確認コードが入力され、実行ボタンが選択された場合、小切手の請求が完了する（ステップＳＤ−８）。
【００８２】
一方、本実施形態においては、ユーザにより画面の受取取止指示（「取止め」）が選択された場合（ステップＳＤ−９）、処理を終了する。
【００８３】
［小切手支払処理（その２）］
図６に示すように、本実施形態においては、ユーザがスマートフォン１００を使って、小切手用紙のＱＲコード（登録商標）をスキャンした場合、スキャンしたＱＲコード（登録商標）から読み出した振出日付、小切手番号、支払人名、支払金額、受取人名および受取人Ｅメールアドレスを含む小切手用紙の読取データを取得する（ステップＳＥ−１）。
【００８４】
そして、本実施形態においては、小切手用紙の読取データと小切手支払予定データベース２０６ａに記憶された小切手支払予定データとの一致を確認することで、読取データに対応する小切手支払予定データベース２０６ａに記憶された小切手支払予定データがあるか否かを判定する（ステップＳＥ−２）。
【００８５】
そして、本実施形態においては、小切手用紙の読取データと小切手支払予定データベース２０６ａに記憶された小切手支払予定データとの一致が確認できなかった場合（ステップＳＥ−２：不一致）、小切手の支払済を通知する支払済通知画面をスマートフォン１００に表示させる（ステップＳＥ−３）。
【００８６】
一方、本実施形態においては、小切手用紙の読取データと小切手支払予定データベース２０６ａに記憶された小切手支払予定データとの一致が確認できた場合（ステップＳＥ−２：一致）、小切手の受取申込指示を入力させる申込画面をスマートフォン１００に表示させる（ステップＳＥ−４）。
【００８７】
そして、本実施形態においては、ユーザにより申込画面の受取指示（「はい」）が選択された場合、確認コードを入力させる確認画面をスマートフォン１００に表示させる（ステップＳＥ−５）。
【００８８】
そして、本実施形態においては、ユーザにより確認画面に確認コードが入力され、実行ボタンが選択された場合、支払会社名、受取金額および受取人名を含む小切手支払明細を表示した支払明細画面をスマートフォン１００に表示させる（ステップＳＥ−６）。
【００８９】
そして、本実施形態においては、ユーザにより支払明細画面の明細確認が選択された場合、小切手の受取人名と、小切手受取アプリ登録データベース２０６ｃに記憶された小切手受取アプリ登録人名義と、の一致を確認する（ステップＳＥ−７）。
【００９０】
そして、本実施形態においては、小切手の受取人名と、小切手受取アプリ登録データベース２０６ｃに記憶された小切手受取アプリ登録人名義と、の一致を確認できなかった場合（ステップＳＥ−７：不一致）、小切手の受取不可を通知する不可通知画面をスマートフォン１００に表示させる（ステップＳＥ−８）。
【００９１】
一方、本実施形態においては、小切手用紙の受取人名と、小切手受取アプリ登録データベース２０６ｃに記憶された小切手受取アプリ登録人名義と、の一致を確認できた場合（ステップＳＥ−７：一致）、支払会社名、受取金額、手数料金額、受取人名および受取人Ｅメールアドレスを含む小切手支払内容、ならびに、受取可否を選択するボタンを表示した支払内容画面をスマートフォン１００に表示させる（ステップＳＥ−９）。
【００９２】
そして、本実施形態においては、ユーザにより支払内容画面の受取指示（「受取る」）が選択された場合、小切手受取アプリでの受取認証として確認コードを入力させる承認画面をスマートフォン１００に表示させ、スマートフォン１００のユーザにより承認画面に入力された入力コードと確認コードとが一致するか否かを判定する（ステップＳＥ−１０）。
【００９３】
そして、本実施形態においては、スマートフォン１００のユーザにより承認画面に入力された入力コードと確認コードとが一致しないと判定した場合、確認コードを承認不可とみなし（ステップＳＥ−１０：承認不可）、処理をステップＳＥ−８に移行させる。
【００９４】
一方、本実施形態においては、スマートフォン１００のユーザにより承認画面に入力された入力コードと確認コードとが一致すると判定した場合、確認コードを承認とみなし（ステップＳＥ−１０：承認）、受取人名、受取金額および受取銀行口座を含む振込確定データを金融機関システム６００に送信し、指定口座（受取銀行口座）への振込を金融機関システム６００に実行させる（ステップＳＥ−１１）。このように、本実施形態においては、承認した小切手支払いの振込データを作成し、必要資金を保管口座から振替してもよい。
【００９５】
そして、本実施形態においては、読取データに対応する小切手支払予定データを小切手支払予定データベース２０６ａから削除し、当該小切手支払予定データを小切手支払済データとして小切手支払済データベース２０６ｂに格納し（ステップＳＥ−１２）、処理を終了する。このように、本実施形態においては、支払済みの小切手データを小切手支払予定データベース２０６ａから削除し、小切手支払済データベース２０６ｂに移してもよい。
【００９６】
［４．他の実施形態］
本発明は、上述した実施形態以外にも、特許請求の範囲に記載した技術的思想の範囲内において種々の異なる実施形態にて実施されてよいものである。
【００９７】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９８】
また、本明細書中や図面中で示した処理手順、制御手順、具体的名称、各処理の登録データや検索条件等のパラメータを含む情報、画面例、データベース構成については、特記する場合を除いて任意に変更することができる。
【００９９】
また、端末装置１００、サーバ２００および金融機関システム６００に関して、図示の各構成要素は機能概念的なものであり、必ずしも物理的に図示の如く構成されていることを要しない。
【０１００】
例えば、端末装置１００およびサーバ２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０１】
また、このコンピュータプログラムは、端末装置１００およびサーバ２００に対して任意のネットワーク３００を介して接続されたアプリケーションプログラムサーバに記憶されていてもよく、必要に応じてその全部または一部をダウンロードすることも可能である。
【０１０２】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【０１０３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【０１０４】
記憶部１０６および記憶部２０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１０５】
また、端末装置１００およびサーバ２００は、既知のパーソナルコンピュータまたはワークステーション等の情報処理装置として構成してもよく、また、任意の周辺装置が接続された当該情報処理装置として構成してもよい。また、端末装置１００およびサーバ２００は、当該装置に本実施形態で説明した処理を実現させるソフトウェア（プログラムまたはデータ等を含む）を実装することにより実現してもよい。
【０１０６】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１０７】
本発明は、小切手管理業務を行う金融業界において有用である。
【符号の説明】
【０１０８】
１００  端末装置
１０２  制御部
１０６  記憶部
１１０  撮影部
１１２  入出力部
２００  サーバ
２０２  制御部
２０２ａ  読取データ取得部
２０２ｂ  設定画面表示制御部
２０２ｃ  登録設定部
２０２ｄ  申込画面表示制御部
２０２ｅ  確認コード送信部
２０２ｆ  確認画面表示制御部
２０２ｇ  支払予定判定部
２０２ｈ  受取人判定部
２０２ｉ  承認画面表示制御部
２０２ｊ  コード判定部
２０２ｋ  支払済通知画面表示制御部
２０２ｍ  不可通知画面表示制御部
２０２ｎ  支払依頼部
２０２ｐ  小切手支払データ更新部
２０６  記憶部
２０６ａ  小切手支払予定データベース
２０６ｂ  小切手支払済データベース
２０６ｃ  登録データベース
３００  ネットワーク
６００  金融機関システム
【図１】
2019200531.tif 000003
【図２】
2019200531.tif 000004
【図３】
2019200531.tif 000005
【図４】
2019200531.tif 000006
【図５】
2019200531.tif 000007
【図６】
2019200531.tif 000008